(57)【特許請求の範囲】
【請求項１】
２本の磁極形成用立設板と前記磁極形成用立設板相互を連結する水平ヨーク板とを有し断面がコの字状に形成されたヨーク部材と、前記２本の磁極形成用立設板の相互に対向する側の面に設けられた永久磁石と、矩形環状に巻回形成され前記磁極形成用立設板の一方に挿抜自在に貫装配置された第１のコイルと、前記第１のコイルが前記永久磁石の磁束を横断する側の面に配置され、矩形環状に巻回形成された２個の第２のコイルと、前記永久磁石の立設方向の高さの寸法を、前記第２のコイルの矩形の立設方向の巻回寸法に対して矩形の内径寸法と矩形の外径寸法との間に設定したことを特徴とする光ピックアップ装置。
【請求項２】
２本の磁極形成用立設板と前記磁極形成用立設板相互を連結する水平ヨーク板とを有し断面がコの字状に形成されたヨーク部材と、前記２本の磁極形成用立設板の相互に対向する側の面に設けられた永久磁石と、矩形環状に巻回形成され前記磁極形成用立設板の一方に挿抜自在に貫装配置された第１のコイルと、前記第１のコイルが前記永久磁石の磁束を横断する側の面に配置され、矩形環状に巻回形成された２個の第２のコイルと、光記録媒体にレーザ光を集光させる対物レンズを保持するとともに前記第１のコイルと前記第２のコイルとを所定の相互位置を保って支持する支持手段とを有する光ピックアップ装置であって、前記永久磁石の立設方向の高さの寸法を、前記第２のコイルの矩形の立設方向の巻回寸法に対して矩形の内径寸法と矩形の外径寸法との間に設定することにより、前記第２のコイルの上下水平部分が前記永久磁石の上下両辺に対称に係るように配置し、前記第１のコイルと前記第２のコイルとに通電することにより前記支持手段を傾けるように作用する力を、前記第２のコイルの水平部分の電流により生じる駆動力により打ち消すように作用させたことを特徴とする光ピックアップ装置。
【請求項３】
前記第２のコイルの上下水平部分が前記永久磁石の上下両辺に係るように配置したことを特徴とする請求項１に記載の光ピックアップ装置。
【請求項４】
前記第２のコイルの上下水平部分が前記永久磁石の上下両辺に対称に係るように配置したことを特徴とする請求項１に記載の光ピックアップ装置。
【発明の詳細な説明】
【０００１】
【発明の属する技術分野】
本発明は光学式記録再生装置に使用される光ピックアップ装置に関し、特に光ピックアップの対物レンズの傾きを打ち消すことのできる光ピックアップ装置に関するものである。
【０００２】
【従来の技術】
近年、光学式記録媒体は記録データの増加に伴ない記録密度をより高くすることを要求されている。そして光学式記録媒体にアクセスする光学式記録再生装置においても、その追随精度を高めるため光ピックアップ装置の対物レンズは傾きの小さいことが要求されている。
【０００３】
以下、従来の光ピックアップ装置について図に基づいて説明する。図７は従来の光ピックアップ装置における斜視図であり、図８は図７の分解斜視図、図９は図８の磁気回路部分の分解斜視図である。図１０は図７の磁気回路部分の平面図及び正面図、図１１は図１０（ａ）における側面図及びＡ−Ａ線断面図である。図１２は図７の磁気回路部分に傾きが生じる過程を示す図１０の平面図及び正面図に相当する動作説明図である。図１３は図７の磁気回路部分に傾きが生じる過程を示す図１０（ａ）の側面図及びＡ−Ａ線断面図に相当する動作説明図である。
【０００４】
図７から図９に示すように、キャリッジ１にサスペンションベース２が固定され、さらにサスペンションベース２に４本のサスペンションワイヤー３が固定される。レンズホルダー７は対物レンズ４とフォーカスコイル５及びトラックコイル６を保持し、さらにレンズホルダー７をサスペンションワイヤー３により片持ち支する。
【０００５】
ヨーク９はマグネット８が取り付けられキャリッジ１に固定される。しかもフォーカスコイル５とトラックコイル６とがマグネット８の磁気回路の中に入るように配置されている。そして、フォーカスコイル５及びトラックコイル６に電流を流すことにより、レンズホルダー７をフォーカス方向とトラック方向に駆動することができる。
【０００６】
なお、図１０ないし図１３は、レンズホルダー７の挙動はフォーカスコイル５とトラックコイル６により示すことができるので、レンズホルダー７は図示を省略している。
【０００７】
以上のように構成された光ピックアップ装置についてその動作を説明する。図１０及び図１１に示すように、ヨーク９にマグネット８の磁極が配置されているものとする。その時、例えば、図１２（ａ）の矢印Ｉｆに示すようにフォーカスコイル５に通電されると、フレミングの左手の法則によりフォーカスコイル５は矢印Ｆｆの力を受け、レンズホルダー７は図１２（ｂ）に示すように紙面上方へ移動する。また同様に、例えば、図１２（ｂ）の矢印Ｉｔに示すようにトラックコイル６に通電されると、フレミングの左手の法則によりトラックコイル６は矢印Ｆｔの力を受け、レンズホルダー７は図１３（ａ）に示すように紙面左方へ移動する。以上の通電の結果、レンズホルダー７は力Ｆｆと力Ｆｔの合成力を受け図１３（ａ）の位置に移動する。
【０００８】
【発明が解決しようとする課題】
この時、トラックコイル６の水平部分（斜線部）に流れる電流により紙面上下方向に力が発生する。ところが、レンズホルダー７が上下方向に移動してもトラックコイル６の水平部分が磁気回路からはみ出さない限り、トラックコイル６の上下の水平部分発生する力は互いに相殺しあいトラックコイル６に電流が流れても上下方向の力は原理上発生しない。
【０００９】
しかしながら、図１３（ａ）において、レンズホルダー７が紙面左方向に移動するので、フォーカスコイル５とトラックコイル６とからなるコイルユニットが右側にオフセットした状態でフォーカス方向の力Ｆｆが働く。その結果、図１３（ｂ）の矢印に示すように、レンズホルダー７は反時計方向の回転モーメントを受け、レンズホルダー７が傾いてしまい、この傾きはレンズホルダーの水平方向の移動量が増すにつれて傾きも大きくなるという問題があった。
【００１０】
そして、次々と記録媒体の記録密度が高まるに従って、その追随精度を高めるため光ピックアップ装置の対物レンズは傾きの小さいことが要求されている。
【００１１】
本発明は以上の問題を解決するためになされたもので、レンズホルダーの傾きの発生を打ち消すように配置した光ピックアップ装置を提供することを目的とする。
【００１２】
【課題を解決するための手段】
本発明は、キャリッジにサスペンションベースを取り付け、サスペンションベースに取り付けられた複数のサスペンションバネを介して対物レンズを保持するレンズホルダーを片持ち支持するとともに、キャリッジ内部にヨークとマグネットからなる磁気回路を構成し、レンズホルダーに設けられたフォーカスコイルとトラックコイルとを磁気回路中に位置させて、レンズホルダーをフォーカス方向及びトラック方向に移動させることができる光ピックアップ装置において、トラックコイルの水平部分をそのトラックコイルの水平部分に対向するマグネットの水平部分の端辺にかかるように構成したものである。
【００１３】
このようにフォーカスコイル及びトラックコイルと磁気回路との作用により、レンズホルダーがフォーカス方向及びトラック方向にオフセットした際に発生するレンズホルダーの傾きを、トラックコイルの水平部分に発生する力を利用して低減させる効果が得られる。
【００１４】
【発明の実施の形態】
本発明の請求項１及び請求項２に記載の発明は、２本の磁極形成用立設板と磁極形成用立設板相互を連結する水平ヨーク板とを有し断面がコの字状に形成されたヨーク部材と、２本の磁極形成用立設板の相互に対向する面に設けられた永久磁石と、矩形環状に巻回形成され磁極形成用立設板の一方に貫装され挿抜自在に配置された第１のコイルと、第１のコイルが永久磁石の磁束を横断する面に配置され、矩形環状に巻回形成された２個の第２のコイルと、光記録媒体にレーザ光を集光させる対物レンズを保持するとともに第１のコイルと第２のコイルとを所定の相互位置を保って支持する支持手段とを有する光ピックアップ装置であって、永久磁石の立設方向の高さの寸法を、第２のコイルの矩形の立設方向の巻回寸法に対して矩形の内径寸法と矩形の外径寸法との間に設定することにより、第２のコイルの上下水平部分が永久磁石の上下両辺に対称に係るように配置し、第１のコイルと第２のコイルとに通電することにより支持手段を傾けるように作用する力を、第２のコイルの水平部分の電流により生じる駆動力により打ち消すように作用させたことを特徴としたものである。
【００１５】
以下、本発明の実施の形態について、図に従って説明する。
（実施の形態１）
本発明における光ピックアップ装置を図１から図６に基づいて説明する。図１は本発明の一実施の形態における光ピックアップ装置の斜視図であり、図２は図１の分解斜視図、図３は図２の磁気回路部分の分解斜視図である。図４は図１の磁気回路部分の平面図及び正面図、図５は図４（ａ）における側面図及びＡ−Ａ線断面図、図６は図１の磁気回路部分の動作を説明する図である。
【００１６】
従来の技術と同様に、図１から図３に示すように、キャリッジ１にサスペンションベース２が固定され、さらにサスペンションベース２に４本のサスペンションワイヤー３が固定される。レンズホルダー７は対物レンズ４とフォーカスコイル５及びトラックコイル６を保持し、さらにレンズホルダー７をサスペンションワイヤー３により片持ち支持する。
【００１７】
ヨーク９は、２本の立設ヨーク板部と立設ヨーク板部の相互を連結する水平ヨーク板部とを有し断面がコの字状に形成され、立設ヨーク板部にマグネット１８が取り付けられ、さらに水平ヨーク板部がキャリッジ１に固定される。しかもフォーカスコイル５とトラックコイル６とがマグネット１８の磁気回路の中に入るように配置されている。そして、フォーカスコイル５及びトラックコイル６に電流を流すことにより、レンズホルダー７をフォーカス方向とトラック方向に駆動することができる。なお、図４ないし図６は、レンズホルダー７の挙動はフォーカスコイル５とトラックコイル６により示すことができるので、レンズホルダー７は図示を省略している。
【００１８】
また、図５（ａ）側面図に示すように、トラックコイル６の上下の水平部分の一部がマグネット１８水平部分の端にかかるように構成されている。さらにこの構成の詳細を図６（ａ）に基づいて説明する。今、トラックコイル６の巻回されたコイル厚みをＬ１、Ｌ１のうちマグネット１８と重なり合う部分のコイル厚みをＬ２、マグネット１８の端面からはみ出す部分のコイル厚みをＬ３とすると、以下に示す関係となる。
【００１９】
０≦Ｌ２≦Ｌ１、０≦Ｌ３≦Ｌ１、Ｌ１＝Ｌ２＋Ｌ３、
即ち、トラックコイル６はマグネット１８に対し、上下両水平部分のＬ２部分で重なり合い、上下両水平部分のＬ３部分がはみ出すように配置されている。
【００２０】
以上のように構成された本発明の光ピックアップ装置について、その動作を説明する。図５（ａ）の側面図に示すように、ヨーク９にマグネット１８の磁極が配置されているものとする。その時、例えば、図６（ａ）の矢印Ｉｆに示すようにフォーカスコイル５に通電されると、フレミングの左手の法則によりフォーカスコイル５は矢印Ｆｆの力を受け、レンズホルダー７は図６（ｂ）に示すように紙面上方へ移動する。また同様に、例えば、図６（ｂ）の矢印Ｉｔに示すようにトラックコイル６に通電されると、フレミングの左手の法則によりトラックコイル６は矢印Ｆｔの力を受け、レンズホルダー７は図６（ｃ）に示すように紙面左方へ移動する。以上の通電の結果、レンズホルダー７は力Ｆｆと力Ｆｔの合成力を受け図６（ｃ）の位置に移動する。
【００２１】
その結果従来と同様に、図１２（ａ）において、フォーカスコイル５とトラックコイル６とからなるコイルユニットが右側へオフセットした状態でフォーカス方向の力Ｆｆが働くため、図中矢印に示すように、レンズホルダー７は反時計方向の回転モーメント（Ｍｃｃｗ）を受ける。
【００２２】
他方、電流Ｉｔがマグネット１８に関わり合う部分は（斜線で示される水平部分）、前述の構造により下側水平部分のみであるから、従来のようなモーメントの相殺効果が働かず、図中他の矢印に示すように、レンズホルダー７は時計方向の回転モーメント（Ｍｃｗ）を受ける。
【００２３】
こうして、両回転モーメントＭｃｃｗとＭｃｗとは互いに打ち消し合い、レンズホルダー７はその本来の姿勢を保ってフォーカス方向とトラック方向に移動し、傾きを生じることがなくなる。
【００２４】
なお、以上に説明した動作例について、フォーカスコイル５とトラックコイル６との電流の向き、及び、マグネット１８の磁極のうちのいずれかが逆であれば、図６（ｂ）または（ｃ）に示すレンズホルダー７の移動の方向も逆になるが、同一の動作原理で同一の効果を生じるので説明の重複を省略する。
【００２５】
【発明の効果】
以上に説明したように、本発明の光ピックアップ装置は、対物レンズを保持するレンズホルダーがフォーカス方向及びトラック方向に移動した際に、レンズホルダーを傾ける方向に生ずる力を、マグネットと関わり合うトラックコイルの水平部分に発生する力によって打ち消し合い、レンズホルダーの傾きを生じることを低減させるという効果を有する。
【図面の簡単な説明】
【図１】本発明の一実施の形態における光ピックアップ装置の斜視図
【図２】図１の分解斜視図
【図３】図２の磁気回路部分の分解斜視図
【図４】図１の磁気回路部分の平面図及び正面図
【図５】図４（ａ）における側面図及びＡ−Ａ線断面図
【図６】図１の磁気回路部分の動作を説明する図
【図７】従来の光ピックアップ装置における斜視図
【図８】図７の分解斜視図
【図９】図８の磁気回路部分の分解斜視図
【図１０】図７の磁気回路部分の平面図及び正面図
【図１１】図１０（ａ）における側面図及びＡ−Ａ線断面図
【図１２】図７の磁気回路部分に傾きが生じる過程を示す図１０の平面図及び正面図に相当する動作説明図
【図１３】図７の磁気回路部分に傾きが生じる過程を示す図１０（ａ）の側面図及びＡ−Ａ線断面図に相当する動作説明図
【符号の説明】
１  キャリッジ
２  サスペンションベース
３  サスペンションワイヤー
４  対物レンズ
５  フォーカスコイル
６  トラックコイル
７  レンズホルダー
８、１８  マグネット
９  ヨーク
【図１】
0003772398.tif 000002
【図２】
0003772398.tif 000003
【図３】
0003772398.tif 000004
【図４】
0003772398.tif 000005
【図５】
0003772398.tif 000006
【図６】
0003772398.tif 000007
【図７】
0003772398.tif 000008
【図８】
0003772398.tif 000009
【図９】
0003772398.tif 000010
【図１０】
0003772398.tif 000011
【図１１】
0003772398.tif 000012
【図１２】
0003772398.tif 000013
【図１３】
0003772398.tif 000014